(57)【要約】【課題】エンスト時のエンジンスタートプッシュスイッチの操作に基づくエンジン始動を迅速に行うことが可能なエンジン始動システムを提供する。【解決手段】  エンジン１３が停止した状態で車両内部に設けたスタートスイッチ６の操作がされると、エンジン１３が非作動から作動への遷移をしたかどうかをＳＴＩＧフラグ９の状態に基づいて判断する。遷移したと判断される場合、車両制御装置１０は、通信携帯機１の認証情報に基づく認証処理を行わずに、車両電源部１１の電源状態を制御するとともに、エンジン制御部１２に対してエンジンの始動指示を行うエンジンを始動させる。【選択図】図１
2006290303.tif 000002
【特許請求の範囲】
【請求項１】
車両内部に設けたエンジンスタートプッシュスイッチの操作に基づくエンジンの始動を可能とするエンジン始動システムであって、
使用者の認証情報を取得する認証情報取得部と、
前記認証情報取得部が取得した認証情報に基づく認証処理と、前記車両の電源状態の管理と、前記エンジンの制御を少なくとも含む前記車両の制御を行う車両制御装置と、を備え、
前記車両制御装置は、
前記車両の電源状態がすべての電装品に電源が供給されているＩＧ状態である場合、エンジン停止状態における前記ＩＧ状態を、エンジン作動前の状態である第１のエンジン停止ＩＧ状態か、エンジン作動後の状態である第２のエンジン停止ＩＧ状態かを区別して管理しており、
前記エンジンスタートプッシュスイッチの操作検出時、前記第２のエンジン停止ＩＧ状態である場合は、前記認証情報取得部が取得した前記認証情報に基づく認証処理を行わずに、前記エンジンの始動制御を行うエンジン始動システム。
【請求項２】
請求項１記載のエンジン始動システムであって、
前記車両制御装置は、前記第２のエンジン停止ＩＧ状態から前記エンジンを始動させる際、前記認証処理の有無を除いて、電源ＯＦＦ状態から前記エンジンを始動させる条件と同じ条件で前記エンジンを始動させるエンジン始動システム。
【請求項３】
請求項１又は２記載のエンジン始動システムであって、
前記車両の前記第１のエンジン停止ＩＧ状態と前記第２のエンジン停止ＩＧ状態を含む電源状態を記録する車両電源状態記憶部を備え、
前記車両制御装置は、前記電源状態の遷移制御時に電源状態を記憶し、一時的な電源電圧低下からの電源電圧復帰時には、前記車両電源状態記憶部に記憶された電源状態に基づいて電源状態の遷移制御を行うエンジン始動システム。
【請求項４】
車両内部に設けたエンジンスタートプッシュスイッチの操作に基づくエンジンの始動を可能とする車両制御システムにおけるエンスト状態の識別を行うエンスト識別方法であって、
前記車両の電源状態の遷移を管理する電源状態管理ステップと、
前記電源状態の遷移に基づいてエンストの有無を判別するエンスト判別工程とを備え、
前記電源状態管理ステップは、エンジン作動前の状態であるかエンジン作動後の状態であるかを管理記憶するエンジン作動状態管理ステップを含み、
前記エンスト判別工程は、エンジン作動状態管理ステップで管理記憶されたエンジンの作動の有無に基づいてエンストの有無を判別するエンスト識別方法。
【発明の詳細な説明】
【技術分野】
【０００１】
本発明は、エンジンストール（以下「エンスト」と記述する）時に、車両内部に設けたエンジンスタートプッシュスイッチ（以下、「スタートスイッチ」と記述する場合もある。）の操作に基づくエンジンの始動を可能とするエンジン始動システム、及びエンスト時に車両内部に設けたエンジンスタートプッシュスイッチの操作に基づくエンジンの始動を可能とする車両制御システムにおけるエンスト状態の識別を行うエンスト識別方法に関する。
【背景技術】
【０００２】
使用者が携帯する通信携帯機と車両との間で必要な情報の通信を行うことにより、車両のドアの開閉を行ったり、エンジンの始動を行ったりするものが知られている（例えば、特許文献１参照）。特許文献１に記載されたエンジン始動制御装置は、車両内部のエンジンＯＮ／ＯＦＦスイッチを操作すると、携帯機との間で通信を行い、認証成功となると、エンジンが始動されるものである。この装置によれば、エンジンＯＮ／ＯＦＦスイッチを操作してエンジンを始動させようとする際、常に携帯機を利用した認証処理を行うものであるので、セキュリティを保ちつつエンジンの始動を行うことができる。
【０００３】
しかし、上記従来のものは、エンストの場合も同様の処理によってエンジン始動を行うことになるので、迅速なエンジン始動ができない場合がある。すなわち、携帯機との通信及び認証処理に必要な時間だけ始動が遅れることが避けられず、通信状態によっては、さらに遅れることになる。車両と携帯機との通信ができない場合（例えば、携帯機を鞄の中に入れ、携帯機に隣接して金属板又は金属製の硬貨等ある場合）には、エンジン始動ができないことになる。
【０００４】
エンスト時のエンジン再始動を迅速に行うようにしたものは、例えば特許文献２−４に記載されている。しかし、これらはいずれもスタートスイッチの操作に基づくエンジン始動を行うものには適用できない。また、スタートスイッチの操作に基づくエンジン始動を行うものでは、エンストの識別が簡単ではない。
【０００５】
【特許文献１】特開２００３−２５４２１０号公報
【特許文献２】特開２００１−１３０３７９号公報
【特許文献３】特開２００４−９２６２３号公報
【特許文献４】特開２００２−８７２１２号公報
【発明の開示】
【発明が解決しようとする課題】
【０００６】
本発明は、上記事情に鑑みなされたもので、エンスト時のエンジンスタートプッシュスイッチの操作に基づくエンジン始動を迅速に行うことが可能なエンジン始動システムを提供することを目的とする。また、このようなエンジン始動システムに利用可能なエンスト状態の識別を簡単に行うことができるエンスト識別方法を提供することを目的とする。
【課題を解決するための手段】
【０００７】
本発明のエンジン始動システムは、車両内部に設けたエンジンスタートプッシュスイッチの操作に基づくエンジンの始動を可能とするエンジン始動システムであって、使用者の認証情報を取得する認証情報取得部と、前記認証情報取得部が取得した認証情報に基づく認証処理と、前記車両の電源状態の管理と、前記エンジンの制御を少なくとも含む前記車両の制御を行う車両制御装置と、を備え、前記車両制御装置は、前記車両の電源状態がすべての電装品に電源が供給されているＩＧ状態である場合、エンジン停止状態における前記ＩＧ状態を、エンジン作動前の状態である第１のエンジン停止ＩＧ状態か、エンジン作動後の状態である第２のエンジン停止ＩＧ状態かを区別して管理しており、前記エンジンスタートプッシュスイッチの操作検出時、前記第２のエンジン停止ＩＧ状態である場合は、前記認証情報取得部が取得した前記認証情報に基づく認証処理を行わずに、前記エンジンの始動制御を行うものである。なお、前記第１のエンジン停止ＩＧ状態である場合は、前記認証情報取得部が取得した前記認証情報に基づく認証処理を行った結果が認証成功であることを条件として前記エンジンの始動制御を行ってもよい。
【０００８】
本発明によれば、エンスト時のエンジンスタートプッシュスイッチの操作に基づくエンジン始動を迅速に行うことができる。
【０００９】
本発明のエンジン始動システムは、前記車両制御装置が、前記第２のエンジン停止ＩＧ状態から前記エンジンを始動させる際、前記認証処理の有無を除いて、電源ＯＦＦ状態から前記エンジンを始動させる条件と同じ条件で前記エンジンを始動させるものを含む。本発明によれば、エンジン停止状態からのエンジン始動操作を統一しているので、使用者による操作間違いを防止することができる。
【００１０】
本発明のエンジン始動システムは、前記車両の前記第１のエンジン停止ＩＧ状態と前記第２のエンジン停止ＩＧ状態を含む電源状態を記録する車両電源状態記憶部を備え、前記車両制御装置が、前記電源状態の遷移制御時に電源状態を記憶し、一時的な電源電圧低下からの電源電圧復帰時には、前記車両電源状態記憶部に記憶された電源状態に基づいて電源状態の遷移制御を行うものを含む。本発明によれば、電源状態を確実に保持できるので、エンスト時を含めたエンジン始動性を確保することができる。
【００１１】
本発明のエンスト識別方法は、車両内部に設けたエンジンスタートプッシュスイッチの操作に基づくエンジンの始動を可能とする車両制御システムにおけるエンスト状態の識別を行うエンスト識別方法であって、前記車両の電源状態の遷移を管理する電源状態管理ステップと、前記電源状態の遷移に基づいてエンストの有無を判別するエンスト判別工程とを備え、前記電源状態管理ステップは、エンジン作動前の状態であるかエンジン作動後の状態であるかを管理記憶するエンジン作動状態管理ステップを含み、前記エンスト判別工程は、エンジン作動状態管理ステップで管理記憶されたエンジンの作動の有無に基づいてエンストの有無を判別するものである。本発明によれば、エンストの判別を車両の電源状態の遷移に基づいて確実に検出することができる。
【発明の効果】
【００１２】
以上の説明から明らかなように、本発明によれば、エンスト時のエンジンスタートプッシュスイッチの操作に基づくエンジン始動を迅速に行うことが可能なエンジン始動システムを提供することができる。
【発明を実施するための最良の形態】
【００１３】
以下、本発明の実施の形態について、図面を用いて説明する。
【００１４】
図１は、本発明の実施の形態のエンジン始動システムを説明するための車両制御システムの概略構成を示す図である。図１の車両制御システムは、車両制御装置１０によって制御される車両電源部１１、エンジン制御部１２、エンジン１３、車両の使用者が操作するドアロックスイッチ４、ドアアンロックスイッチ５、スタートスイッチ６、使用者の認証情報が記憶された通信携帯機１、通信携帯機１の認証情報の取得に利用されるアンテナ２、通信部３、車両制御システムの動作状態等を報知する報知部７を含む。
【００１５】
通信携帯機１は、使用者が車両の利用時に所持するものであり、少なくとも使用者の認証を行うための認証情報を保持している。認証情報は、例えばＩＤコードである。通信携帯機１は、アンテナ２を介して通信部３との間で情報の送受信が可能であり、認証情報の送信要求を受信した場合には、保持している認証情報を送信する。
【００１６】
アンテナ２及び通信部３は、通信携帯機１との情報の送受信を行うものであり、車両制御装置１０からの要求があった場合に、通信携帯機１と通信を行って、通信携帯機１に保持されている認証情報を取得する。図１の車両制御システムは、通信部３を車両制御装置１０と別の要素として構成したが、通信部３を車両制御装置１０内に設けてもよい。また、アンテナ２は、通信携帯機１が車両外部に存在する場合と、車両内部に存在する場合とを区別して通信可能となっている。車両の内外を区別するためには、例えば、指向性と通信可能範囲を異ならせて配置した複数のアンテナを利用する。車両外部に存在する通信携帯機１と通信を行うためのアンテナ２の通信可能範囲は、通信携帯機１の所持者がドアロックスイッチ４、ドアアンロックスイッチ５の操作が可能な範囲である。この通信可能範囲は、さらに広げてもよいが、使用者が車両の監視が確実にできる範囲とするのが好ましい。
【００１７】
なお、図１の車両制御システムでは、使用者の認証を行うための認証情報として通信携帯機１に保持したＩＤコード等の情報を利用したが、認証情報としては、顔、指紋、虹彩、静脈等を利用した生体情報を利用することもできる。生体情報を利用する場合は、アンテナ２、通信部３に換えて、生体情報を取得するための手段を設ける。例えば、顔や虹彩を利用する場合は、使用者を撮影するカメラを設ける。
【００１８】
ドアロックスイッチ４及びドアアンロックスイッチ５は、車両外板に設けられ、使用者がドアの車両外部でドアのロック又はアンロックを行う場合に操作するものである。ドアロックスイッチ４は、例えばドアノブ表面に設けられ、ドアアンロックスイッチ５は、例えばドアノブ裏面に設けられる。
【００１９】
ドアロックスイッチ４及びドアアンロックスイッチ５の状態は、車両制御装置１０に入力され、通信携帯機１の認証情報を利用した認証が成功の場合、図示しない制御部によりドアがロック又はアンロックされる。また、ドアロックスイッチ４及びドアアンロックスイッチ５は、両方のスイッチを操作することにより、エンジン１３の始動を車両外部から操作要求するためのスイッチとしても機能する。この外部エンジン始動要求操作部としての機能については後述する。なお、図１の車両制御システムでは、外部エンジン始動要求操作部としてドアロックスイッチ４とドアアンロックスイッチ５を利用したが、専用の２つのスイッチを利用してもよい、また、専用の１つのスイッチを利用してもよい。
【００２０】
スタートスイッチ６は、エンジン１３の始動、停止を含む車両の電源供給状態を制御するために操作されるプッシュスイッチであり、使用者が車両の運転席に着座した状態で容易に操作できる位置に配置される。
【００２１】
報知部７は、車両の状態を使用者に報知するためのもので、表示装置、スピーカ等である。
【００２２】
車両電源部１１は、車両各部の電装品に電源を供給するものであり、車両制御装置１０の制御に基づき、電源ＯＦＦ状態、ＡＣＣ状態、ＩＧ状態、ＳＴ状態の状態を遷移する。電源ＯＦＦ状態は、電装品が停止している状態であり、エンジンも停止している。ＡＣＣ状態、ＩＧ状態、ＳＴ状態は、いずれも電源ＯＮの状態である。
【００２３】
ＡＣＣ状態は、オーディオ機器等の車両の補助的な電装品にのみ電源が供給される状態であり、この状態でエンジンは停止している。ＩＧ状態は、車両のすべての電装品に電源が供給されている状態であるが、エンジンは回転中の場合も停止中の場合もある。ＩＧ状態は、エンジン作動前の状態である第１のエンジン停止ＩＧ状態と、エンジン作動後の停止状態である第２のエンジン停止ＩＧ状態と、エンジン動作状態である動作ＩＧ状態とに区別して管理される。したがって、エンスト時には第２のエンジン停止ＩＧ状態となる。ＳＴ状態は、エンジンを始動させる状態であり、セルモータ等を駆動してエンジンをクランキングする状態である。ＳＴ状態は、第１のエンジン停止ＩＧ状態から遷移した状態と第２のエンジン停止ＩＧ状態から遷移した状態とに区別して管理される。
【００２４】
エンジン制御部１２は、エンジン１３の制御を行うもので、車両電源部１１がＳＴ状態となり、車両制御装置からエンジン始動の指示があるとエンジンの始動を行う。エンジン回転検知部１４は、エンジン１３の回転を検知するものである。なお、図１の車両制御システムでは、車両電源部１１をエンジン制御部１２に接続しているが、車両電源部１１を回路接続／開放スイッチを経由してエンジン始動のためのセルモータ（図示せず）の電源に接続し、回路接続／開放スイッチをエンジン制御部１１が制御する構成にしてもよい。
【００２５】
シフト状態検出部１５は、車両のシフトポジション状態を検出するものである。フットブレーキ状態検知部１６は、車両のフットブレーキが操作された状態（踏まれた状態）か、非操作の状態（踏まれていない状態）かを検知するものである。車速検知部１７は、車両の速度を検知するもので、少なくとも車両の速度が０か否かを示す信号を出力する。
【００２６】
車両制御装置１０は、通信携帯機１からアンテナ２、通信部３を介して取得した認証情報に基づく認証処理と、車両の電源制御、エンジン１３の始動制御を含む車両の制御を行うものである。エンジンの始動制御には、ドアロックスイッチ４とドアアンロックスイッチ５が操作された場合の車両外部からの始動制御と、車両内部のスタートスイッチ６の操作による始動制御が含まれる。車両制御部１０は、例えば、所定のプログラムを実行するプロセッサを主体に構成され、内部には、必要なプログラム記憶領域、パラメータ記憶領域、ＳＴＩＧフラグ９を含むフラグデータ記憶領域、タイマ情報記憶領域、車両電源部１１の電源状態を示す電源状態情報８を記憶する領域を含むメモリを備える。電源状態情報８及びＳＴＩＧフラグ９を含むフラグについては後述する。
【００２７】
車両制御装置１０は、スタートスイッチ６の操作に基づいてエンジン１３の始動制御を行うとともに、ドアロックスイッチ４及びドアアンロックスイッチ５の操作に基づく始動制御も行う。
【００２８】
ドアロックスイッチ４とドアアンロックスイッチ５が順に操作されると、車両制御装置１０は、通信携帯機１から取得した認証情報に基づく認証処理を行い、認証成功の場合は、エンジン１３を始動させる。その後、使用者は、ドアやトランクの開閉を行って荷物の出し入れ等を行うことができる。この方法で車両外部からエンジンを始動させた場合、エンジンの停止は、車両内部のスタートスイッチ６の操作で行うことができる。また、ドアロックスイッチ４の操作で行うようにしてもよい。さらに、外部からのエンジン始動後、使用者による操作が何らされない場合、所定時間経過後、自動的にエンジンを停止させることもできる。
【００２９】
図２に、本発明の実施の形態のエンジン始動システムにおけるエンジン始動の概略動作フローの一例を示す。図２の動作フローは、ドアロックスイッチ４とドアアンロックスイッチ５を利用して車両外部からエンジンの始動を要求した場合のものであり、使用者による操作が何らされない場合、所定時間経過後、自動的に停止させるようにした場合のものである。
【００３０】
車両電源部１１の状態が電源ＯＦＦ状態でドアロックスイッチ４とドアアンロックスイッチ５が順に操作されると、認証以外のエンジン始動条件が成立しているかどうかの判断を行う（ステップＳ１０１）。ここでのエンジン始動条件は、シフト状態がパーキング位置（以下、「シフトＰ」と記述する場合もある。）で、かつ、フットブレーキが非操作（以下、単に「ブレーキＯＦＦ］と記述する場合もある。）であることである。エンジン始動条件が成立しない場合はそのまま処理を終了する。ステップＳ１０１で認証以外のエンジン始動条件が成立する場合は、通信携帯機１から認証情報を取得し（ステップＳ１０２）、取得した認証情報に基づく認証処理を行う（ステップＳ１０３）。認証処理は、例えば、認証情報であるＩＤコードと予め車両内部（例えば、車両制御装置内のメモリ）に記憶したＩＤコードとの対比を行い、一致するかどうかを判定する。そして、一致する場合には認証成功と判断し、一致しない場合は認証不成功と判断する（ステップＳ１０４）。なお、認証情報の取得ができない場合も認証不成功と判断する。
【００３１】
認証不成功の場合はそのまま処理を終了し、認証成功の場合は、電源状態をＡＣＣ状態に遷移させる（ステップＳ１０５）。次いで、ＩＧ状態に遷移させて（ステップＳ１０６）車両のすべての電装品に電源を供給し、さらにＳＴ状態に遷移させて（ステップＳ１０７）エンジンを始動させる。
【００３２】
そして、再度ＩＧ状態に遷移させ（ステップＳ１０８）、車両制御装置１０内部の作動継続タイマ（図示せず）を動作させる。作動継続タイマは、外部からのエンジン始動後、使用者による操作が何らされない時間を計測するためのものであり、ハードウェアタイマでもソフトウェアタイマでもよい。なお、ＳＴ状態でエンジンの始動が成功した場合（エンジンが良好に始動した場合）は、始動確認後ＩＧ状態に遷移させ、クランキング期間が一定時間（例えば５秒）継続した場合は、始動が不成功としてＩＧ状態に遷移させる。
【００３３】
ステップＳ１０９では、車両の利用操作があったかどうかを判断する。ここでの利用操作は、フットブレーキの操作、シフトポジションの変化、又は車速の変化があったかどうかで判断し、いずれかがあった場合は利用操作有りと判断する。フットブレーキの操作はフットブレーキ状態検知部１６からの信号によって判断し、シフトポジションの変化はシフト状態検出部１５からの信号によって判断し、車速の変化は車速検知部１７からの信号によって判断する。利用操作の有無の判断に他の機器、要素の状態を利用することも可能であるが、ドアの開閉やトランクの開閉操作は含めない。
【００３４】
ステップＳ１０９で利用操作ありと判断した場合、作動継続タイマをリセットして（ステップＳ１１２）。利用操作がない場合は、ステップＳ１１０で作動継続タイマがタイムアップしたかどうかを判断し、タイムアップしていない場合はステップＳ１０９に戻る。作動継続タイマがタイムアップしている場合は、外部からのエンジン始動後、使用者による操作が何らされていないことを示しているので、電源ＯＦＦ状態に遷移させて（ステップＳ１１１）エンジンを停止させる。なお、図２のエンジン始動の概略動作フローでは、始動条件成立の判断（ステップＳ１０１）を、認証成功の判断（ステップＳ１０４）の前に実施しているが、始動条件成立の判断（ステップＳ１０１）を、認証成功の判断（ステップＳ１０４）の後に行ってもよい。また、作動継続タイマリセットの条件となる利用操作にドアの開閉やトランクの開閉操作を含めていないので、荷物の出し入れ後、忘れ物等で車両を離れた場合でも所定時間後に電源ＯＦＦ状態となってエンジンが停止することになり、盗難の危険性が減少する。
【００３５】
次に、車両内部のスタートスイッチ６が操作された場合の動作について説明する。図３に、本発明の実施の形態のエンジン始動システムにおけるスタートスイッチ操作時の概略動作フローの一例を示す。
【００３６】
ステップＳ２０１で電源ＯＦＦ状態かどうかを判断し、電源ＯＦＦ状態でない場合はステップＳ２０２でＡＣＣ状態かどうかを判断する。そして、電源ＯＦＦ状態又はＡＣＣ状態である場合は、認証以外のエンジン始動条件を満たすかどうかを判断する（ステップＳ２０９）。始動条件が成立すると、通信携帯機１から認証情報を取得して（ステップＳ２１０）、取得した認証情報に基づく認証処理を行う（ステップＳ２１１）。認証処理は、例えば、認証情報であるＩＤコードと予め車両内部（例えば、車両制御装置内のメモリ）に記憶したＩＤコードとの対比を行い、一致するかどうかを判定する。そして、一致する場合には認証成功と判断し、一致しない場合は認証不成功と判断する（ステップＳ２１２）。なお、認証情報の取得ができない場合も認証不成功と判断する。
【００３７】
ステップＳ２１２で認証成功と判断された場合は、ＳＴ状態に遷移する。
【００３８】
ステップＳ２１２で認証不成功と判断された場合、及びステップＳ２０９で認証以外のエンジン始動条件が成立しないと判断された場合は、スタートスイッチ６の操作時の状態に応じた状態遷移を行う（ステップＳ２１３）。したがって、遷移条件によっては、電源状態が変化しない場合もある。状態遷移については後述する。
【００３９】
ステップＳ２０２でＡＣＣ状態と判断されず、ステップＳ２０３でエンジン動作ＩＧ状態（以下「動作ＩＧ状態」と記述）と判断されない場合は、ステップＳ２０４でＳＴＩＧフラグの状態が判断される。ＳＴＩＧフラグは、エンジン１３が非作動状態から作動状態に遷移したかどうかを判別するフラグであり、作動状態に遷移したときにセットされる（＝１）ものである。エンジン１３が非作動状態から作動状態に遷移していない場合（第１の停止ＩＧ状態）は、ＳＴＩＧフラグ＝１でないので、ステップＳ２０９に移り認証以外のエンジン始動条件の成立を確認する。
【００４０】
ＳＴＩＧフラグ＝１である場合は、エンジン１３が非作動状態から作動状態に遷移したことを示しているので、エンスト状態と判断することができ、エンスト状態での始動条件を判断し（ステップＳ２０５、ステップＳ２０６）、満足する場合はＳＴ状態に遷移する（ステップＳ２０７）。ここでの始動条件は認証作業と認証成功を含まないので、エンスト時の迅速な再始動が可能となる。また、この条件を、電源ＯＦＦ状態、ＡＣＣ状態、及び第１のエンジン停止ＩＧ状態からＳＴ状態へ遷移するための始動条件に含まれる使用者の操作と同一にすることにより、使用者による操作間違いを防止することができる。ステップＳ２０５で、シフトノブ位置がパーキング又はニュートラルでないと判断された場合はそのまま終了する。また、ステップＳ２０６でフットブレーキ非操作状態と判断された場合は、ＡＣＣ状態へ遷移する。
【００４１】
ステップＳ２０３で動作ＩＧ状態と判断された場合、エンジン停止操作がされたと考え、電源ＯＦＦ状態又はＡＣＣ状態へ遷移してエンジンを停止させる。
【００４２】
次に、車両電源部１１の電源状態の状態遷移について、説明する。図４及び図５は、車両電源状態の状態遷移の要部を示す状態遷移図であり、図６は、図４及び図５中で使用している語句及び記号の意味を示す。図４には、スタートスイッチの操作に関連する部分全体を示し、図５には、ＩＧ状態とＳＴ状態の詳細を示してある。なお、図４及び図５における「条件」は電源状態が遷移する条件を示し、「付加処理」は電源状態遷移条件が満足した場合に、電源状態の遷移とともに行う処理である。
【００４３】
先に説明したように、電源状態は電源ＯＦＦ状態と電源ＯＮ状態に分けられ、電源ＯＮ状態には、ＡＣＣ状態、ＩＧ状態、及びＳＴ状態の３種類の状態が存在する。また、電源ＯＦＦ状態では、始動フラグ及びＳＴＩＧフラグはともにリセット状態（＝０）である。
【００４４】
電源ＯＮ状態のうち、ＩＧ状態は、エンジン作動前の状態である第１のエンジン停止ＩＧ状態（以下、「第１停止ＩＧ状態」と記述する）と、エンジン作動後の停止状態である第２のエンジン停止ＩＧ状態（以下、「第２停止ＩＧ状態」と記述する）と、エンジン動作状態であるエンジン動作ＩＧ状態（以下、「動作ＩＧ状態」と記述する）とに区別して管理される。ＳＴ状態は、第１停止ＩＧ状態から遷移した状態と第２停止ＩＧ状態から遷移した状態とに区別して管理される。なお、電源ＯＦＦ状態は、電装品が停止している状態であり、エンジンも停止している。ＡＣＣ状態は、オーディオ機器等の車両の補助的電装品のみ電源が供給される状態であり、この状態でもエンジンは停止している。ＩＧ状態は、車両すべての電装品に電源が供給されている状態であるが、エンジン作動中の場合もエンジン停止中の場合もある。ＳＴ状態は、セルモータを駆動してエンジンをクランキングする状態である。
【００４５】
遷移１は、スタートスイッチ６の操作によってエンジン１３の始動が行われる場合の最初の遷移であり、遷移１ａ又は遷移１ｂを経て電源ＯＦＦ状態からＡＣＣ状態に遷移する。シフト位置がパーキング又はニュートラルでブレーキが操作状態の場合は、始動フラグがセット（＝１）され（遷移１ｂ）、遷移２ｂ、遷移３ｂ、遷移４を通しての自動遷移となる。
【００４６】
遷移２ａ及び遷移２ｂは、ＡＣＣ状態から第１停止ＩＧ状態への遷移であるが、遷移２ｂは自動遷移であり、遷移２ａは、スタートスイッチ６の操作の操作に伴う遷移である。スタートスイッチ６が操作されると認証処理を行い、認証成功の場合でかつシフト位置がパーキングでブレーキが操作状態の場合に遷移する。
【００４７】
遷移３ａ及び遷移３ｂは、第１停止ＩＧ状態からＳＴ状態への遷移であるが、遷移３ｂは自動遷移であり、遷移３ａは、スタートスイッチ６の操作の操作に伴う遷移である。スタートスイッチ６が操作されると認証処理を行い、認証成功かつＳＴＩＧ＝０の場合でかつシフト位置がパーキングでブレーキが操作状態の場合に遷移する。ＳＴ状態となるとエンジンの始動が行われる。
【００４８】
遷移４は、エンジン始動後に再度第１停止ＩＧ状態に戻る遷移であり、エンジンの始動成功不成功に拘わらず遷移する。この遷移に際しては、始動フラグがリセットされる。
【００４９】
遷移８は、第１停止ＩＧ状態から動作ＩＧ状態への遷移であり、エンジンが動作中かどうかをエンジン回転検知部１４からの信号に基づいて判断し、動作中の場合は、ＳＴＩＧフラグをセットして遷移する。
【００５０】
遷移５は、動作ＩＧ状態でスタートスイッチ６の操作がされた場合の遷移であり、車両速度が０の場合にＡＣＣ状態（遷移６）又は電源ＯＦＦ状態（遷移７）に遷移する。この遷移に伴ってエンジンは車両制御装置によって正常に停止するので、ＳＴＩＧフラグがリセットされる。
【００５１】
遷移１０は、ＡＣＣ状態から電源ＯＦＦ状態への遷移である。スタートスイッチ６が操作され、シフト位置がパーキングでブレーキが非操作の場合に遷移する。この遷移は、車両の使用を終了する場合に行われる遷移である。
【００５２】
遷移９１〜９６は、エンジン始動後にエンストした場合の電源状態の遷移である。遷移９１は、動作ＩＧ状態から第２停止ＩＧ状態への遷移であり、動作ＩＧ状態でエンジンの停止を検出した場合に遷移する。第２停止ＩＧ状態ではＳＴＩＧフラグ＝１である。遷移９２、９３、９４は、第２停止ＩＧ状態すなわちエンスト中にスタートスイッチ６を操作した場合の遷移であり、シフト位置がパーキング又はニュートラルでブレーキが操作状態の場合（遷移９３）は、ＳＴ状態に遷移し、エンジン１３を再始動させる。ブレーキが操作されていない場合は、エンジンの再始動操作とみなさず、ＡＣＣ状態に遷移する。
【００５３】
遷移９５は、エンジン始動後に再度第２停止ＩＧ状態に戻る遷移であり、エンジンの始動成功不成功に拘わらず遷移する。遷移９６は、第２停止ＩＧ状態から動作ＩＧ状態への遷移であり、エンジンが動作中かどうかをエンジン回転検知部１４からの信号に基づいて判断し、動作中の場合は、ＳＴＩＧフラグをセットして遷移する。
【産業上の利用可能性】
【００５４】
本発明は、車両の電源状態がすべての電装品に電源が供給されているＩＧ状態である場合、エンジン停止状態における前記ＩＧ状態を、エンジン作動前の状態である第１のエンジン停止ＩＧ状態か、エンジン作動後の状態である第２のエンジン停止ＩＧ状態かを区別して管理しているので、エンスト時のエンジンスタートプッシュスイッチの操作に基づくエンジン始動を迅速に行うことが可能なエンジン始動システム等として有用である。
【図面の簡単な説明】
【００５５】
【図１】本発明の実施の形態のエンジン始動システムを説明するための車両制御システムの概略構成を示す図
【図２】本発明の実施の形態のエンジン始動システムにおけるエンジン始動の概略動作フローを示す図
【図３】本発明の実施の形態のエンジン始動システムにおけるエンジンスタートプッシュスイッチ操作時の概略動作フローの一例を示す図
【図４】本発明の実施の形態のエンジン始動システムにおける車両電源状態の状態遷移の要部を示す状態遷移図
【図５】本発明の実施の形態のエンジン始動システムにおける車両電源状態の状態遷移の要部を示す状態遷移図
【図６】本発明の実施の形態のエンジン始動システムにおける車両電源状態の状態遷移の要部を示す状態遷移図の語句及び記号の意味を示す図
【符号の説明】
【００５６】
１・・・通信携帯機
２・・・アンテナ
３・・・通信部
４・・・ドアロックスイッチ
５・・・ドアアンロックスイッチ
６・・・エンジンスタートプッシュスイッチ
７・・・報知部
８・・・電源状態情報
９・・・ＳＴＩＧフラグ
１０・・・車両制御装置
１１・・・車両電源部
１２・・・エンジン制御部
１３・・・エンジン
１４・・・エンジン回転検知部
１５・・・シフト状態検出部
１６・・・フットブレーキ状態検知部
１７・・・車速検知部
【図１】
2006290303.tif 000003
【図２】
2006290303.tif 000004
【図３】
2006290303.tif 000005
【図４】
2006290303.tif 000006
【図５】
2006290303.tif 000007
【図６】
2006290303.tif 000008